(57)【要約】【課題】第１マグネット６を有する第１発電体２を回転させて発電できる発電装置を提供する。【解決手段】第１マグネット６を含む複数のマグネットを連結板１８で接続して円形の第１発電体２を形成し、第１コイル４を含む複数のコイル内に第１発電体２を挿入し、第１電磁石８を第１発電体２の外周に配置する。第１電磁石８を駆動して第１マグネット６に吸引、又は反発する磁力を与えて、第１発電体２を回転移動させ、第１マグネット６が第１コイル４内を移動して、第１コイル４及び複数のコイルに誘導電流を発生させて発電する。 【選択図】  図１
2020025371.tif 000002
【特許請求の範囲】
【請求項１】
第１コイル内にある第１マグネットが、前記第１コイル内を移動して発電する発電装置において、
前記第１マグネットに磁力を与える第１電磁石を固定台に取り付けて駆動し、前記第１電磁石の吸引、又は反発する磁力により、前記第１マグネットを有し、回転軸を有しない第１発電体を、回転軸を中心に回転移動させて、前記第１コイル内を移動させ、
前記第１コイルに誘導電流を発生させて発電し、電気エネルギーを取得する事を特徴とした発電装置。
【請求項２】
第１コイル内にある第１マグネットが、前記第１コイル内を移動して発電する発電装置において、
前記第１マグネットに磁力を与える第７マグネットを移動させ、前記第７マグネットの吸引、又は反発する磁力により、前記第１マグネットを有し、回転軸を有しない第１発電体を、回転軸を中心に回転移動させて、前記第１コイル内を移動させ、
前記第１コイルに誘導電流を発生させて発電し、電気エネルギーを取得する事を特徴とした発電装置。
【請求項３】
請求項１〜２のいずれか１項記載の発電装置において、前記第１マグネットと分離できる連結板を組み合わせて、円形の前記第１発電体を形成できるようにした事を特徴とした発電装置。
【請求項４】
請求項１〜２のいずれか１項記載の発電装置において、内部が空洞で、分割できるパイプ内に弾性体と前記第１マグネットを挿入し、円形の前記第１発電体を形成したことを特徴とした発電装置。
【発明の詳細な説明】
【技術分野】
【０００１】
本発明は、固定台に取り付けられた複数の電磁石の駆動を順次移動させることにより、発電部のマグネットが回転軸に対して、回転移動してコイル内を移動し、コイルに誘導電流を発生させて発電する発電装置に関する物である。
【背景技術】
【０００２】
発電部のマグネットがコイル内を移動して発電し、電気エネルギーを得る物として振動発電装置があり、それを応用した物が数多く提案されている。
【０００３】
１つは、発電部のパイプ内にマグネットを挿入し、前記パイプの外側にコイルを設け、前記マグネットの自重を利用して、コイル下部に前記マグネットを配置しておき、一方で、発電部の前記マグネットに反発力を与える極性の移動部のマグネットを近づけて、発電部のマグネットを反発させてコイル内を通過させ、電気エネルギーを得ている。
更に、移動部のマグネットが移動して遠ざかり、両マグネットの反発する磁力が弱まることで、発電部のマグネットの自重により、コイル内を通過して元の位置に戻している。（文献１）
【０００４】
その他に、複数のマグネットを繋ぎ合わせたマグネット群を円形状にし、それらの外周に複数のコイルを設け、繋ぎ合わせたマグネット群に歯車が連結してある。
外部よりその歯車を動かす力を加え、連結された円形状のマグネット群を回転させ、外周に配置された複数のコイルに誘導電流を発生させている物もある。(文献２)
【先行技術文献】
【特許文献】
【０００５】
【特許文献１】特開昭６０−１３４６４号公報
【特許文献２】特開２０１０−２８３９８３号公報
【発明の概要】
【発明が解決しようとする課題】
【０００６】
特許文献１で提案されているように、発電部のパイプ内のマグネットの自重を利用して、前記マグネットを元の位置へ戻している発電装置は、前記マグネットが軽い場合は、復帰に於けるコイル内を移動するスピードも遅くなり、発電効率も悪くなる可能性がある。
又、前記パイプを垂直に設けて前記マグネットの自重を利用しているので、前記パイプを水平に位置づけた場合、前記マグネットの復帰は難しくなり、連続した発電を行なえない可能性もある。
【０００７】
更に、パイプ内のマグネットの移動方向が、回転軸に対して垂直で、外側に移動する為、移動部のマグネットの移動速度が遅く、移動部のマグネットの取り付け位置が、回転軸から近い位置に取り付けられた場合、移動部のマグネットがパイプ内のマグネットに近づき始めると、パイプ内のマグネットが徐々に移動し始める為、パイプ内のマグネットが移動するスピードは高速回転時に比べて遅くなり、発電効率が低下する可能性がある。
【０００８】
文献２においては、マグネット群と連結した歯車の一部分に、外部より力を加えて回転しているので、回転する力の均衡をとるのが難しく、更に、マグネット群の円運動がスムーズに行なえない可能性がある。
また、歯車同士がロックした場合、外部の力を抑えることが出来ず、部品の損傷に繋がる可能性もある。
【０００９】
したがって、本発明の発電装置は、振動発電の発電方法を応用し、コイルに誘導電流を発生させる発電部のマグネット群に、吸引、又は反発力を与える電磁石を外部に配置し、コイルとマグネットに振動を与えることなく、発電部のマグネットに吸引、又は反発力を与えることにより、コイル内を通過させ、電気エネルギーを取得できるようにしたものである。
【課題を解決するための手段】
【００１０】
本発明の発電装置は、円形を成す車軸を有しない複数のマグネット群の外側に複数のコイルを取り付け、円形状のマグネット群に吸引、又は反発の磁力を与える極性の電磁石を外部に配置している。
【００１１】
複数の電磁石を固定台に取り付け、一方で、複数のコイルも固定台に取り付け、各コイルからの発電電力は、電線にて制御部のブリッジダイオード、コンデンサー、抵抗に接続され、外部へ出力される。
【発明の効果】
【００１２】
各コイルに誘導電流を発生させる発電部のマグネットに、複数の電磁石を近づけて、各々の電磁石の駆動する時間をずらして駆動すると、発電部のマグネットは、電磁石の駆動による磁石の吸引、又は反発により移動し、安定して回転するようになる。
これにより、複数のコイルに連続的に誘導電流が流れて発電し、発電効率が低下することなく電気エネルギーを取得することができる。
また、発電部のマグネット群がロックして回転移動が停止しても、力の蓄積による部品の破損を軽減できる。
【００１３】
本発明の発電装置は、複数のマグネット同士を繋ぎ合わせて、車軸を有しない円形状の発電部のマグネット群を形成しているので、外側にある複数の電磁石の電磁移動により、マグネット群が安定した円回転移動を行なうことができ、また、各部品を取り外し、回転ですり減ったマグネットの交換を容易に行うことができる。
【図面の簡単な説明】
【００１４】
【図１】本発明の実施形態における発電装置の全体を示した斜視図である。
【図２】図１の第１発電体と電磁石を上方より見た平面図ある。
【図３】円形の第１発電体を分離した斜視図である。
【図４】（Ａ）は、図２の第１発電体がベアリングによって支えられている様子を表した斜視図であり、（Ｂ）は、（Ａ）の第１発電体をＢ−Ｂ線部分で切断した断面を表した図である。
【図５】本発明の実施形態における発電装置の他の実施形態を示したもので、（Ａ）は、第１発電体をパイプで組み立てた様子を表した斜視図であり、（Ｂ）は、（Ａ）の破線部分の一部を拡大した斜視図である。
【図６】本発明の実施形態における発電装置の他の実施形態を示したもので、第１発電体に対し、電磁石を横向きに配置した平面図である。
【図７】本発明の実施形態における発電装置の他の実施形態を示したもので、固定台に対し、モーターと回転板を水平に取り付けた斜視図である。
【図８】図７のモーター部分と第１発電体部分を上方より見た平面図である。
【図９】本発明の実施形態における発電装置の他の実施形態を示したもので、固定台に対し、モーターを垂直に取り付けた平面図である。
【図１０】本発明の実施形態における発電装置の配線内容を表した図である。
【発明を実施するための形態】
【実施例１】
【００１５】
以下、本発明に係る発電装置の好適な実施形態を、図面に従って説明する。
図１は本発明による発電装置１を示した斜視図であり、図２は、動作を説明する為に、図１の発電装置１の第１発電体２と第２発電体３、及び複数の電磁石を表した平面図である。
【００１６】
図１や図２で示すように、固定台１５上に、車軸を有しない第１発電体２、第２発電体３が配置されている。
第１発電体２の外周には第１コイル４、第２コイル５を含む複数のコイルが取り付けられ、同様に第２発電体３の外周にも複数のコイルが取り付けられている。
複数のコイルはそれぞれコイル架台２６によって固定され、各コイル架台２６は、ネジや凹凸の勘合により、固定台１５に取り付けられている。
【００１７】
図１０の配線図で示すように、第１コイル４や第２コイル５を含む複数のコイルから出力される誘導電流は、各ブリッジダイオード２３で整流されてコンデンサー２４に蓄積され、抵抗２５により電流を制御されて、その後電力は外部へ出力される。
また、４個以上のコイルやブリッジダイオード２３は省略されている。
【００１８】
図２や図３で示すように、第１コイル４や第２コイル５を含む複数のコイル内にある第１発電体２は、第１マグネット６や第２マグネット７を含む複数のマグネットと複数の連結板１８によって連結され、各コイル内を回転して移動でき、回転軸を有しない円形型になるように形成されており、第２発電体３も同様の構造になっている。
【００１９】
図３は、第１発電体２の一部分の詳細を示しており、第１マグネット６と第２マグネット７は、それぞれ、非磁性体の連結板１８に固定され、連結板１８の穴１７に各マグネットの突起１６を挿入して、複数の連結板１８と複数のマグネットを連結し、連結板１８の形状をドーナツ状の円形にして、円形の第１発電体２を形成できるようにする。
【００２０】
これにより、第２発電体３も同様の構造にすると、第１発電体２や第２発電体３は、複数に分割でき、複数のコイルに挿入後、各マグネットと連結板１８を組み合わせて、ドーナツ状の円形を形成することが可能となる。
その後、複数のコイルが存在するコイル架台２６を固定台１５にネジ等で固定すると、第１発電体２や第２発電体３は、各コイル内を円回転移動することが出来るようになる。
また、図２に示すように、第１発電体２の外周にも第１電磁石８、第２電磁石９、第３電磁石１０を含む複数の電磁石を、電磁石架台２７に取り付けて固定台１５に固定している。
【００２１】
図２に示すように、第１発電体２の連結板１８に取り付けられた第１マグネット６の極性を、連結板１８側をＮ極、突起１６側をＳ極とし、一方で、電磁石架台２７に取りつけられた第１電磁石８を駆動して、第１電磁石８の極性を、第１発電体２側がＮ極、反対側をＳ極となるように動作させた場合、第１マグネット６は、第１電磁石８から吸引され、矢印２８方向へ第１発電体２は回転移動する。
【００２２】
同様に、図２右側に有る第４マグネット２２の極性を、連結板１８側をＮ極、突起１６側をＳ極とし、一方で、第４電磁石１１を駆動して、第４電磁石１１の極性を、第１発電体２側がＮ極、反対側をＳ極となるように動作させた場合、第４マグネット２２は、第４電磁石１１から吸引され、矢印２８方向へ第１発電体２は回転移動する。
【００２３】
続いて、第１電磁石８と第４電磁石１１の駆動を停止して、第２電磁石９と第５電磁石１２を駆動すると、第１発電体２の第１マグネット６と第４マグネット２２は各々、各電磁石に吸引されて、第１発電体２は、回転軸２９を中心に矢印２８の方向へ回転移動する。
更に、第２電磁石９と第５電磁石１２の駆動を停止して、第３電磁石１０と第６電磁石１３を駆動すると、第１発電体２の第１マグネット６と第４マグネット２２は各々、各電磁石に吸引されて、第１発電体２は、更に矢印２８の方向へ回転移動する。
【００２４】
第１発電体２が、ある一定の回転移動をすると、第１発電体２の第６マグネット３９と第３マグネット２１が第１電磁石８と第４電磁石１１へ近づき、同じように、第３電磁石１０と第６電磁石１３の駆動を停止して、第１電磁石８と第４電磁石１１を駆動すると、第１発電体２の第６マグネット３９と第３マグネット２１は各々、各電磁石に吸引されて、第１発電体２は矢印２８の方向へ回転移動し、上記と同様の動作を繰り返し続けることにより、第１発電体２は回転軸２９を中心に回転し、移動を続けることになる。
【００２５】
図２に於いて、第１発電体２の別な外周に複数の電磁石を配置した場合、各マグネットと各電磁石の関係も上記と同じ状況になる。
その為、第１発電体２全体には均等に吸引力が得られ、重心のバランスが取れて、各コイル内でスムーズな回転移動を行なうことが出来る
【００２６】
図２に於いて、第１発電体２の第１マグネット６のS極に各電磁石よりN極の吸引する力を与えていたが、第１マグネット６のN極に反発する磁力を与え動作させても良い。
動作は、第１マグネットのN極に対し、第１電磁石８のN極を反発する形で磁力を与え、続いて、第２電磁石９、第３電磁石１０と駆動すると、前記と同じように第１マグネットに常に反発する磁力を与えて押し出すように働き、第１回転体２を矢印２８の向きへ回転移動させることができる。
【００２７】
図２に於いて、複数の電磁石を左右に配置して動作させているが、第１発電体が小型で回転移動にムラが生じない場合は、右側の電磁石を取り除き、左側の第１電磁石８、第２電磁石９、第３電磁石１０のみを利用して動作させてもよい。
或は、第１発電体の外周全体に電磁石を配置して、第１発電体２の第１マグネット６と１つの連結板１８だけを利用して、円形を形成しない断片的な形にし、吸引、又は反発力を与え、更に、第１コイル４を１個だけ利用して、回転させてもよい。
【００２８】
発電体の動作は、上記で説明したように、図１や図２で示す各電磁石を交互に順次駆動し、各電磁石の磁力に吸引、又は反発する第１マグネット６や第４マグネット２２を有する第１発電体２が回転移動し、その内側にある第２発電体の各マグネットも第１発電体の各マグネットに吸引されて、第２発電体３も回転移動する。
【００２９】
これは、第１発電体２に取り付けられた第１マグネット６の磁力に対し、吸引力を得るように配置された、第２発電体３のマグネットが第１マグネット６の回転に同調して回転出来る為である。
それにより、複数のマグネットが複数のコイル内を移動して、コイルに誘導電流を発生させ、発電することになる。
【００３０】
通常、各発電体の複数の各マグネットが、各電磁石に吸引、又は反発された場合、第１発電体２や第２発電体３は、その磁力により、回転軸２９の外側へ移動しようとし、各発電体が回転すると、第１コイル４を含む複数のコイルに接しながら回転して発電する。
【００３１】
これにより、第１発電体２や第２発電体３が長時間回転すると、各コイル内部と各発電体は磨耗し、それぞれを交換しなければならないが、図２や図４で示すように、各発電体を上下左右方向より、ベアリング１４で支えるようにすると、ベアリング１４上を各発電体が移動するようになり、各コイル内の磨耗を防ぐことができる。
また、図３のように連結板１８も分離できるので、過度にすり減った連結板１８や各マグネットの交換も可能になり、第１発電体２や第２発電体３の形状を維持できる。
【００３２】
図４（Ａ）は、図２の第１発電体２が、ベアリング１４によって支えられている様子を表した図である。
図４（Ｂ）は、図（Ａ）の第１発電体２のＢ―Ｂ線部分で切断した矢視図で、切断面より後方を表した図である。
これにより、第１発電体２は、第２コイル５を含む複数のコイルに接しないで回転できるようになり、回転時に発生する摩擦力が軽減され、第１発電体２は、速度の減速が軽減されて回転できるようになる。
【００３３】
使用するベアリング１４は非磁性体であることが望ましく、また、  図４（Ｂ）に於いて、第１発電体２の内側と外側に、斜め下よりベアリング１４を取り付けて、第１発電体２の回転軌道が逸れるのを阻止しているが、更に、ベアリング１４を第１発電体２の左右、上下に取り付けて、安定した軌道上を回転できるようにしても良い。
【００３４】
図３では、連結板１８の穴１７に他のマグネットの突起１６を挿入して、円形が形成できるように凹凸の勘合を利用しているが、穴１７や突起１６の代わりに、ネジを利用しても良い。
また、連結板１８の長さを短くして、各マグネットの磁力を高め、突起１６や穴１７を設けないで、各連結板１８とマグネットを交互に組み合わせ、各マグネットを吸引させて円形を形成しても良い。（図示せず）
【００３５】
或は、非磁性体で円形、または半円を成す板に各マグネットを取り付けて、第１発電体２を形成しても良い。（図示せず）
但し、この場合、円形、または半円の板は、途中で分割できるようにし、各コイル内に挿入できるようにする。
【００３６】
各コイルには、主に第１発電体２内の各マグネットの磁力の強さと、コイル内を通過するスピード、及びコイルの巻き線数等により、６〜数十ボルトの電圧が発生するが、マグネットの磁力の強さとコイルの巻き線数は、必要とする電力量によりその値を決めれば良い為、図１０の抵抗２５やコンデンサー２４、ブリッジダイオード２３等を省いても良く、或いは、各部品の値や数量を増やし、複数個のコイルを動作させてもよい。
【００３７】
図１や２では、第１発電体２や第２発電体３は、円筒で円を形成しているが、各マグネットや連結板１８等の形状を多角や他の形状にして各発電体の円形を形成してもよく、或は、各マグネットと連結板１８により、円形を形成せず、半円よりも短い断片的な形の発電体を形成しても良く、又は、複数のマグネットと複数の連結板１８を利用して、半円状の発電体を形成しても良い。
【００３８】
図１で、第１発電体２や第２発電体３は、水平に設置されて回転しているが、第１発電体２や第２発電体３、コイル等を垂直に配置し、第１発電体２や第２発電体３を垂直に回転移動させても良く、また、図１の配置を逆さまにして、固定台１５を上にし、各発電体を下にして動作させても良い。
【００３９】
本案実施例では、図１で示すように、第１発電体２の外側より磁界を加えて、反発又は吸引力の磁力により第１発電体２を回転移動させているが、内側や上下方向より磁界を加えても良く、第２発電体３の内側に複数の発電体を配置し、何重にも内側に増やして動作させても良い。
また、本案では、電磁石を利用して磁力を変化させているが、電磁石以外で磁力変化できる機器を利用して各発電体を回転させても良い。
【００４０】
図２や図４に於いて、ベアリング１４は、主に第１発電体２を支える目的で利用されているが、一部のベアリング１４の構造を、動力を受ける機構にすると、外部からの動力により、ベアリング１４自体が回転することができ、それによって、第１発電体２を回転移動させることが可能となる。
その為、動力源となる電磁石を省いて発電することもできるようになる。
【実施例２】
【００４１】
次に、図１や図２の各発電体の構造を、内部が空洞で分離できるパイプ１９を利用し、円形を形成した実施例について説明する。
図５（Ａ）は、分離できる複数のパイプ１９を組みあわせて、第１発電体２をドーナツ状の円形にした斜視図であり、波線部分は内部構造を示すため、上下にも分割できるパイプ１９の上部を取り除いたもので、図（Ｂ）は、図４（Ａ）の波線部分を拡大し、内部を表した図である。
実施例１で説明した複数のコイル及び、電磁石、その他の第１発電体以外の部品は実施例１の図１や図２と同様であり、説明してあるので省略する。
【００４２】
図１や図２に於いて、各発電体は、各マグネットと各連結板１８を組み合わせて、ドーナツ状の円形にしており、磨耗が生じた場合は、その部品自体を交換するために、一端、円形を解体し、その後、各コイル内で円形の組立行なう為、組立が容易ではなかった。
そこで、図５（Ａ）、（Ｂ）のように、パイプ１９を分割出来るようにし、更に、凹凸の勘合により、上下にも分割できる構造にして、各パイプ１９を連結させるようにしてある。
【００４３】
図５（Ｂ）に於いて、第１マグネット６や第３マグネット２１、第４マグネット２２を含む複数のマグネットを分割できるパイプ１９内に挿入し、各マグネット間に弾性体２０を挿入して、図５（Ａ）のように各パイプ１９を組み合わせてドーナツ状の円形を形成する。
弾性体２０は、伸縮できる非磁性体のゴムやバネ、クッション、スポンジ等、各マグネットがパイプ１９内で移動しないようなものを利用する。
【００４４】
これにより、第２発電体３も同様の構造にすると、実施例１の図２と同じように、パイプ１９により形成された第１発電体２や第２発電体３は、複数に分割でき、複数のコイルに挿入後、各パイプ１９を組み合わせて、ドーナツ状の円形を形成することが可能となり、各コイル内を円回転移動することが出来るようになる。
一端組みあがった円形は、外部のパイプ１９が回転移動で磨り減っても、すり減った一部分の外側のパイプ１９を交換するだけで、各発電体の円形を大きく解体する必要がなくなり、各コイル内での円形の組み立ても容易に行なえるようになる。
【００４５】
図５では、各マグネットと弾性体２０を繋ぎ合わせ、パイプ１９内に挿入して第１発電体２を形成しているが、第１マグネット６を１つだけ利用して動作させてもよく、第１マグネット６と弾性体２０とパイプ１９を、それぞれ、１個づつ繋ぎ合わせ、円形を形成せずに、断片的な形にして動作させても良い。
更に、図２で示した各マグネットと各連結板１８の組み合わせにより形成した第１発電体２をパイプ１９内に挿入して、新たな第１発電体を形成しても良い。
【実施例３】
【００４６】
次に、図１や図２で示した、電磁石の極性を図６に示すように、第１発電体２の回転方向と同じ向きに並行になるように配置し、反発、或は吸引力により、第１発電体２を回転移動させる方法について説明する。
複数のコイル及び、各発電体、電磁石の部品は実施例１の図１や図２と同様であり、説明してあるので内容は省略する。
【００４７】
図６に示すように、第１発電体２の外周に第１電磁石８、第２電磁石９、第３電磁石１０を、電磁石架台２７に取り付けて固定台１５に固定する。
第１電磁石８を駆動して、第４マグネット２２と吸引する形に取り付けた場合、第４マグネット２２は、第１電磁石８から吸引されるようになり、矢印３０方向へ第１発電体２は移動する。
【００４８】
続いて、第１電磁石８の駆動を停止して、第２電磁石９を駆動すると、第１発電体２の第３マグネット２１は第２電磁石９に吸引されて、第１発電体２は矢印３０の方向へ回転移動する。
更に、第２電磁石９の駆動を停止して、第３電磁石１０を駆動すると、第１発電体２の第２マグネット７は第３電磁石１０に吸引されて、第１発電体２は、更に矢印３０の方向へ回転移動する。
【００４９】
第１発電体２が、ある一定の回転移動をすると、第１発電体２の第３マグネット２１が第１電磁石８へ近づき、同じように、第３電磁石１０の駆動を停止して、第１電磁石８を駆動すると、第１発電体２の第３マグネット２１は第１電磁石８に吸引されて、第１発電体２は矢印３０の方向へ回転移動し、上記と同様の動作を繰り返し続けることにより、第１発電体２は回転軸２９を中心に回転し、移動を続けることになる。
【００５０】
図６に於いて、第１発電体２の別な外周に複数の電磁石を配置した場合、各マグネットと各電磁石の関係も上記と同じ状況になる。
その為、第１発電体２全体には均等に吸引力が得られ、重心のバランスが取れて、各コイル内でスムーズな回転移動を行なうことが出来る
【００５１】
図６に於いて、第１発電体２の各マグネットに各電磁石より吸引する力を与えていたが、各マグネットに反発する磁力を与え動作させても良い。
動作は、仮に、第４マグネット２２のN極に対し、第１電磁石８のN極を反発する形で磁力を与え、続いて、第２電磁石９、第３電磁石１０と駆動すると、前記と同じように第４マグネット、第３、第２マグネットに常に反発する磁力を与えて押し出すように働き、第１回転体２を矢印３０の向きへ回転移動させることができる。
【実施例４】
【００５２】
次に、図１や図２で示した、電磁石の代わりに、複数のマグネットを利用して、発電体を回転移動させる方法について説明する。
複数のコイル及び、各発電体は実施例１の図１や図２と同様であり、説明してあるので内容は省略する。
【００５３】
図７は、モーター３１の回転軸を固定台１５に対し水平になるように、モーター３１を取り付けたもので、モーター３１により回転移動する回転板３２も水平に設置されている。
回転板３２には、第７マグネット３３、第８マグネット３４、第９マグネット３５を含む複数のマグネットが位置をずらして取り付けられている。
図８は、図７の斜視図を上方より見た平面図であり、モーター３１が回転すると、回転板３２は矢印３６方向へ回転する。
【００５４】
図８に於いて、モーター３１を駆動すると、回転板３２も矢印３６方向へ回転し、第７マグネット３３のN極が第１マグネット６のS極へ近づくため、第１マグネット６が吸引され、第１発電体２は矢印２８方向へ移動し始める。
続いて、第８マグネット３４が回転して、第１マグネット６に近づくと、第１マグネット６は吸引され、第１発電体２は矢印２８方向へ移動する。
更に、第９マグネット３５が回転して、第１マグネット６に近づくと、第１マグネット６は吸引され、第１発電体２は矢印２８方向へ移動する。
【００５５】
回転板３２が回転すると、上記のように、次のマグネットが、第１マグネット６に近づき、同じ動作を繰り返し行ない、第１発電体２は回転軸２９を中心に回転し、第１発電体２の第６マグネット３９が第７マグネット３３に近づくと、これまでと同じように上記の動作を繰り返して、第１発電体２は、モーター３１が回転している間は、回転を続けることになり、第１コイル４を含む複数のコイル内を移動して発電できるようになる。
【００５６】
このように、回転板３２に取り付けた、第７マグネット３３を含む、複数のマグネットの取り付け位置をずらして、回転移動させると、第１マグネット６に連続して吸引力を与える事ができ、第１発電体２を移動させることができる。
【００５７】
図８に於いて、第１発電体２の第１マグネット６に第７マグネット３３より吸引する磁力を与えて、第１発電体２を回転させているが、実施例１同様に、第１マグネット６のN極に反発力を与え、第１発電体を回転移動させて動作させてもよい。
【実施例５】
【００５８】
図７では、モーター３１を固定台１５に対して、水平に取り付けていたが、次に、モーターを垂直に取り付けて、第１発電体２を回転移動させる方法について説明する。
図９は、図７のモーター３１を固定台１５に垂直に取り付け、上方より見た平面図であり、モーター３１の回転により、モーター３１に取り付けたベルト３７が第１発電体２の外周に沿うように移動できる構造にしたものである。
【００５９】
ベルト３７には、複数のマグネットが装着可能であり、図９では第７マグネット３３と第８マグネット３４が装着されている。
図９に於いて、ベルト３７を回転させ、第７マグネット３３のN極が第１マグネット６のS極に近づくと、第１マグネット６は吸引されて、第１発電体２は、矢印２８方向へ回転移動を始める。
ベルト３７が回転している間、第７マグネット３３に吸引される第１マグネット６は、第７マグネット３３が遠ざかるまで回転移動を続けるようになる。
【００６０】
第１発電体２が回転して、第６マグネット３９がベルト３７に近づき、更に第８マグネット３４が第６マグネット３９に近づくと、第６マグネット３９は、第８マグネット３４に吸引され、上記同様に第６マグネット３９は回転移動し続け、第１発電体２は、モーター３１が回転している間は、回転移動を続けることになり、第１コイル４を含む複数のコイル内を通過して発電する。
【００６１】
図９に於いて、第１発電体２の第１マグネット６に第７マグネット３３より吸引する磁力を与えて、第１発電体２を回転させているが、ベルト３７に取り付けた第７マグネット３３と第８マグネット３４の極性を逆にし、実施例１同様に、第１マグネット６のN極に反発力を与え、第１発電体を回転移動させて動作させてもよい。
【符号の説明】
【００６２】
１    発電装置
２    第１発電体
３    第２発電体
４    第１コイル
５    第２コイル
６    第１マグネット
７    第２マグネット
８    第１電磁石
９    第２電磁石
１０    第３電磁石
１１    第４電磁石
１２    第５電磁石
１３    第６電磁石
１４    ベアリング
１５    固定台
１６    突起
１７    穴
１８    連結板
１９    パイプ
２０    弾性体
２１    第３マグネット
２２    第４マグネット
２３    ブリッジダイオード
２４    コンデンサー
２５    抵抗
２６    コイル架台
２７    電磁石架台
２８    矢印
２９    回転軸
３０    矢印
３１    モーター
３２    回転板
３３    第７マグネット
３４    第８マグネット
３５    第９マグネット
３６    矢印
３７    ベルト
３８    矢印
３９    第６マグネット
【図１】
2020025371.tif 000003
【図２】
2020025371.tif 000004
【図３】
2020025371.tif 000005
【図４】
2020025371.tif 000006
【図５】
2020025371.tif 000007
【図６】
2020025371.tif 000008
【図７】
2020025371.tif 000009
【図８】
2020025371.tif 000010
【図９】
2020025371.tif 000011
【図１０】
2020025371.tif 000012